(57)【要約】【課題】アプリケーション毎に、プリンタドライバその他の出力デバイスドライバの設定等を制御できるようにする。【解決手段】情報処理装置１１０は、インストールされているアプリケーションソフトウェア３１０及び出力デバイスドライバ３３０を検索する検索手段３５１と、前記件検索手段３５１によって検索されたアプリケーションソフトウェア３１０と出力デバイスドライバ３３０とを関連付け、両者の対応関係を示す関連付け情報３５３を作成する関連付け手段３５２とを備える。【選択図】図３
2008165291.tif 000002
【特許請求の範囲】
【請求項１】
インストールされているアプリケーションソフトウェア及び出力デバイスドライバを検索する検索手段と、
前記検索手段によって検索されたアプリケーションソフトウェアと出力デバイスドライバとを関連付け、両者の対応関係を示す関連付け情報を作成する関連付け手段と
を備えた情報処理装置。
【請求項２】
前記関連付け手段は、更に、前記検索されたアプリケーションソフトウェアと、前記出力デバイスドライバの設定情報とを関連付け、前記アプリケーションソフトウェアと、前記出力デバイスドライバと、前記設定情報との対応関係を示す関連付け情報を作成する、請求項１に記載の情報処理装置。
【請求項３】
前記設定情報を設定するための設定手段を更に備える、請求項２に記載の情報処理装置。
【請求項４】
前記出力デバイスドライバとして、少なくとも、プリンタドライバ及びＰＣ−ＦＡＸドライバのいずれか一方がインストールされている
請求項１〜３のいずれか一項に記載の情報処理装置。
【請求項５】
コンピュータを、請求項１〜４のいずれか一項に記載の情報処理装置として機能させるためのプログラム。
【発明の詳細な説明】
【技術分野】
【０００１】
本発明は、アプリケーションソフトウェア等で作成されたデータの出力を制御する技術に関し、より詳細には、アプリケーションソフトウェア等で作成されたデータの出力を制御する情報処理装置及びプログラムに関する。
【背景技術】
【０００２】
現在、企業のオフィス等においては、多数のパーソナルコンピュータ（以下、ＰＣという）が使用されているが、管理のしやすさ等の観点から、各ＰＣにインストールされるオペレーティングシステム（以下、ＯＳという）やアプリケーションソフトウェア（以下、単にアプリケーションという）は同種のものに統一することが少なくない（例えば、ＯＳとしてはＷｉｎｄｏｗｓ（登録商標）を使用する等）。
【０００３】
一方、ＰＣにインストールされたワードプロセッサソフトウェア（以下、ワープロソフトという）や表計算ソフトウェア（以下、表計算ソフトという）を使って利用者が作成したデータを、プリンタで印刷する際は、プリンタドライバといわれるプリンタを制御するためのソフトウェアが利用される。このプリンタドライバの設定（印刷設定）を適宜変更することで、プリンタが提供する各種機能を利用した印刷を行うことが可能となる。例えば、両面印刷や、複数のページを一枚の用紙に印刷する集約印刷や、カラープリンタでのモノクロ印刷などが行えるようになる。
【０００４】
ところで、企業のオフィス等においては、経費削減等の観点から、特定のアプリケーションから印刷を行う際は、必ず特定の印刷設定で印刷するようにするという運用が行われることがある。例えば、ある特定のアプリケーションから印刷を行う際は、必ず集約印刷や、両面印刷を行うようにしたり、あるいは、オフィス等に設置されているプリンタがカラープリンタの場合であっても、特定のアプリケーションから印刷を行う場合は、必ず一部のインクを使った印刷（例えば、４色中２色を使った印刷やモノクロ印刷）を行うようにする等である。このような運用を実現するには、例えば、各利用者は、自己が使用するアプリケーションから印刷を行う際に、プリンタドライバが提供するユーザインタフェース（ＵＩ）画面を呼び出して、プリンタドライバの設定を、現在使用中のアプリケーションに対して管理者等が指定している設定に適宜変更してから、印刷を行う必要がある。そのため、複数のアプリケーションで異なる印刷設定を使い分ける場合などは、利用者の操作が煩雑になり、その結果、設定変更がされることなく印刷が行われることにもなり、上記運用を完全に実現するのは必ずしも容易ではなかった。
【０００５】
なお、特開２００４−８６８６３号公報には、印字装置を使用するために必要なソフトウェア（プリンタドライバ及びデータ転送ソフトウェア）をホスト装置に導入する際に、導入プログラムが参照するシナリオ（導入情報記述ファイル）を、各ホスト装置に共通する設定事項が記述されたテンプレートと、各ホスト装置に固有の印刷設定情報が格納されたデータベースとに基づいて作成することにより、個々のホスト装置に対して異なるシナリオを設定するソフトウェア導入方法が開示されている。
【特許文献１】特開２００４−８６８６３号公報
【発明の開示】
【発明が解決しようとする課題】
【０００６】
本発明の目的は、アプリケーション毎に、プリンタドライバその他の出力デバイスドライバの設定等を制御できるようにすることにある。
【課題を解決するための手段】
【０００７】
本発明では、インストールされているアプリケーションソフトウェア及び出力デバイスドライバを検索し、検索されたアプリケーションソフトウェアと出力デバイスドライバとを関連付け、両者の対応関係を示す関連付け情報を作成することにより、使用するアプリケーションごとに、プリンタドライバその他の出力デバイスドライバの設定等の制御を可能とする。
【０００８】
すなわち、本発明によれば、
インストールされているアプリケーションソフトウェア及び出力デバイスドライバを検索する検索手段と、
前記検索手段によって検索されたアプリケーションソフトウェアと出力デバイスドライバとを関連付け、両者の対応関係を示す関連付け情報を作成する関連付け手段と
を備えた情報処理装置が提供される。
【０００９】
前記情報処理装置は、例えば、ネットワークに接続可能なものであり、前記関連付け情報を前記ネットワークを介して外部装置（例えば、他の情報処理装置）に送信する手段を更に備えることができる。
【００１０】
前記関連付け手段は、更に、前記検索されたアプリケーションソフトウェアと、前記出力デバイスドライバの設定情報とを関連付け、前記アプリケーションソフトウェアと、前記出力デバイスドライバと、前記設定情報との対応関係を示す関連付け情報を作成することができる。
【００１１】
前記情報処理装置は、前記設定情報を設定するための設定手段を更に備えることができる。
【００１２】
前記情報処理装置は、前記出力デバイスドライバとして、少なくとも、プリンタドライバ及びＰＣ−ＦＡＸドライバのいずれか一方がインストールされることができる。
【００１３】
また、本発明によれば、コンピュータを、前記情報処理装置として機能させるためのプログラムが提供される。
【発明を実施するための最良の形態】
【００１４】
以下、本発明を図面に示した実施形態をもって説明するが、本発明は後述する実施形態に限定されるわけではない。
【００１５】
図１は、本発明の一実施形態である情報処理装置を備えた出力システムの実施形態を示す図である。
【００１６】
図１に示すように、出力システム１００は、複数（同図の例では４台）の情報処理装置１１０，１２０，１３０，１４０と、複数（同図の例では２台）の出力装置１５０，１６０とを備え、各情報処理装置１１０，１２０，１３０，１４０及び各出力装置１５０，１６０はそれぞれ、ＬＡＮ等のネットワーク１７０に接続されている。
【００１７】
各情報処理装置１１０，１２０，１３０，１４０は、利用者からの指示に従って、出力装置１５０，１６０で出力を行うための出力データを生成して、出力装置１５０，１６０に送信するものであり、例えば、通常のＰＣその他のコンピュータによって構成される。
【００１８】
各出力装置１５０，１６０は、ネットワーク１７０を介して送られてくる出力データ（例えば、ページ記述言語で記述された印刷データ）を受信して、当該出力データに応じた出力を行うものであり、例えば、通常のネットワーク対応のレーザプリンタやインクジェットプリンタによって構成される。
【００１９】
なお、出力システム１００においては、各情報処理装置１１０，１２０，１３０，１４０には、同等のアプリケーション及び出力デバイスドライバ（例えば、プリンタドライバ）がインストール（導入）されているものとする。また、ここでは、複数の情報処理装置１１０のうちの一台の情報処理装置１１０を、出力システム１００の管理を行う管理者が利用するものとし、他の情報処理装置１２０，１３０，１４０を、一般の利用者が利用するものとする。
【００２０】
出力システム１００においては、情報処理装置１１０において管理者が設定した出力設定情報が、他の情報処理装置１２０，１３０，１４０に通知（配布）され、各情報処理装置１２０，１３０，１４０では、通知された出力設定情報に従って、各アプリケーションからの出力が行われる。各情報処理装置１１０，１２０，１３０，１４０の動作の詳細については後述する。
【００２１】
図２は、情報処理装置１１０のハードウェア構成例を示す図である。なお、他の情報処理装置１２０，１３０，１４０についても同様のハードウェア構成を有する。
【００２２】
図２に示すように、情報処理装置１１０は、演算処理装置２１０と、主記憶装置２２０と、補助記憶装置２３０と、ドライブ装置２４０と、ネットワークインタフェース（Ｉ／Ｆ）装置２５０と、表示装置２６０と、入力装置２７０とを備え、各部２１０〜２７０はそれぞれ、バス２８０を介して相互に接続されている。
【００２３】
演算処理装置２１０は、主記憶装置２２０にロードされたプログラムを実行することにより、情報処理装置１１０が提供する各種機能を実現するものであり、例えば、ＣＰＵによって構成される。主記憶装置２２０は、演算処理装置２１０によって利用される各種プログラム等を記憶するものであり、例えば、ＲＡＭによって構成される。補助記憶装置２３０は、演算処理装置２１０によって利用されるＯＳその他の各種プログラムや各種データを格納するものであり、例えば、ハードディスク装置によって構成される。補助記憶装置２３０に格納されている各種プログラムは、起動指示等に応じて、主記憶装置２２０にロードされて演算処理装置２１０によって実行される。
【００２４】
ドライブ装置２４０は、当該ドライブ装置２４０にセットされた可搬記録媒体（例えば、ＣＤ−ＲＯＭ等の光ディスク）２４１に記録されたプログラム等の読み出しを行うものであり、可搬記録媒体２４１から読み出されたプログラム等は、例えば、補助記憶装置２３０に格納される。情報処理装置１１０が提供する各種機能を実現するためのプログラムは、例えば、可搬記録媒体２４１に記録された状態で提供され、ドライブ装置２４０を介して、情報処理装置１１０にインストールされる。
【００２５】
ネットワークインタフェース装置２５０は、ＬＡＮ等のネットワーク１７０に接続されて、ネットワーク１７０を介した外部とのデータのやり取りを制御するものである。情報処理装置１１０が提供する各種機能を実現するためのプログラムが、ネットワーク１７０を介して提供される場合は、当該プログラムは、ネットワークインタフェース装置２５０を介して、情報処理装置１１０にインストールされる。
【００２６】
表示装置２６０は、プログラムからの指示に従ってＧＵＩ（Graphical User
Interface）画面等を表示させるものであって、例えば、ＣＲＴ表示装置やＬＣＤ表示装置によって構成される。入力装置２７０は、利用者の様々な操作指示を入力するためのものであって、例えば、キーボードやマウス等で構成される。
【００２７】
図３は、情報処理装置１１０のソフトウェア構成（機能構成）例を示す図である。
【００２８】
図３に示すように、情報処理装置１１０は、アプリケーション３１０と、ＯＳ３２０と、出力デバイスドライバ３３０と、ネットワーク接続部３４０と、出力設定管理部３５０とを備える。
【００２９】
アプリケーション３１０は、情報処理装置１１０にインストールされているアプリケーションソフトウェアであって、例えば、各種ワープロソフトや各種表計算ソフト等が該当する。情報処理装置１１０には、通常、複数のアプリケーション３１０がインストールされる。ＯＳ３２０は、情報処理装置１１０上で稼働するオペレーティングシステムである。
【００３０】
出力デバイスドライバ３３０は、アプリケーション３１０で作成された各種データを出力する際に、アプリケーション３１０で作成された各種データを、出力装置（例えば、プリンタやファクシミリ装置）が解釈可能なデータに変換するものであって、例えば、プリンタドライバや、ＰＣ−ＦＡＸドライバが該当する。出力デバイスドライバ３３０は、通常、情報処理装置１１０で使用する出力装置毎にインストールされる。
【００３１】
ネットワーク接続部３４０は、ＬＡＮ等のネットワーク１７０を介した他の装置との通信を実現するための通信モジュールである。
【００３２】
出力設定管理部３５０は、出力システム１００において統一的に利用される出力デバイスドライバ３３０の設定（印刷設定等）を、各アプリケーション３１０毎に設定等するためのものであり、検索部３５１と、関連付け部３５２とを備える。出力設定管理部３５０は、例えば、情報処理装置１１０にインストールされた出力設定管理プログラムを、情報処理装置１１０の演算処理装置２１０が実行することで実現される。
【００３３】
検索部３５１は、情報処理装置１１０にインストールされているアプリケーション３１０と出力デバイスドライバ３３０を検索するものである。すなわち、検索部３５１は、例えば、ＯＳ３２０が管理しているインストール済みソフトウェア情報を適宜調べて、情報処理装置１１０にインストールされているアプリケーション３１０及び出力デバイスドライバ３３０の一覧を作成し、当該一覧を関連付け部３５２に通知する。
【００３４】
関連付け部３５２は、検索部３５１によって検索されたアプリケーション３１０と出力デバイスドライバ３３０とを関連付けるものである。すなわち、まず、検索部３５１から通知されたアプリケーション３１０と出力デバイスドライバ３３０の一覧を、情報処理装置１１０が備える表示装置２６０に表示させ、利用者（本実施形態では管理者）に、表示装置２６０に表示した一覧から、アプリケーション３１０と出力デバイスドライバ３３０の関連付けの指定をさせる。
【００３５】
図４は、関連付け部３５２によって表示装置２６０に表示されるＵＩ画面の実施形態を示す図である。なお、以下では、基本的に、情報処理装置１１０には、出力デバイスドライバ３３０としてプリンタドライバのみがインストールされている場合について説明する。
【００３６】
図４に示すように、ＵＩ画面４００では、画面の左側の領域４０１に、検索されたインストール済みのアプリケーション（アプリケーション名）が表示され、右側の領域４０２に、検索されたインストール済みのプリンタドライバ（プリンタ名）が表示される。利用者が、マウス等の入力装置２７０を使って、左側の領域４０１において、あるアプリケーションを選択し、右側の領域４０２において、当該アプリケーションに割り当てるプリンタドライバを選択して、「割り当て」ボタン４０３を押下（以下、クリックという）すると、選択されているアプリケーションとプリンタドライバとの関連付けが成立することになる。関連付けが成立すると、そのことが利用者にわかるように、関連付けられたアプリケーション名とプリンタ名の表示態様（例えば、色）が変化する。一方、「キャンセル」ボタン４０６をクリックすると、関連付けが解除される。
【００３７】
アプリケーションとプリンタドライバとを関連付けた後、更に、「プリンタのプロパティ」ボタン４０４をクリックすると、関連付け部３５２によって印刷設定用のＵＩ画面（以下、印刷設定画面という）が呼び出される。利用者は、当該印刷設定画面を介して、必要な設定を行う。当該印刷設定画面を介して設定された印刷設定は、関連付け部３５２によって、当該印刷設定を利用するアプリケーション及びプリンタドライバと関連付けられる。このようにして必要な設定を行った後、「保存」ボタン４０７をクリックすると、関連付け情報（アプリケーションとプリンタドライバと印刷設定との対応関係）が出力設定ファイル３５３として、補助記憶装置２３０に保存される。最後に、「Close」ボタン４０５をクリックすると、関連付け部３５２によって、当該画面が閉じられる。
【００３８】
なお、通常は、一つのアプリケーションに対し、一つのプリンタドライバが割り当てられるが、複数のアプリケーションを、同じ一つのプリンタドライバに割り当てることもできる。この場合、各アプリケーションについて関連付けがされるたびに、出力設定ファイル３５３が作成（更新）される。一方、一つのアプリケーションに対し、複数のプリンタドライバを割り当てることはできない。
【００３９】
また、プリンタドライバ以外の出力デバイスドライバ（例えば、ＰＣ−ＦＡＸドライバ）がインストールされている場合は、検索結果に他の出力デバイスドライバを含めて表示させるようにしてもよいし、予めどの種類の出力デバイスドライバを検索・表示するかを指定できるようにしてもよい。
【００４０】
図５は、関連付け部３５２によって作成される関連付け情報の実施形態を示す図である。
【００４１】
図５に示すように、関連付け情報５００では、アプリケーション５０１と、プリンタドライバ５０２と、印刷設定５０３とが対応付けられて管理されている。
【００４２】
まず、図５に示した例では、ワープロソフトＡと、プリンタＡのプリンタドライバとが関連付けられている。なお、当該組み合わせには、特定の印刷設定は関連付けられていない。すなわち、ワープロソフトＡにおいて印刷が行われると、プリンタＡのプリンタドライバを使ってプリンタＡに出力がされることになるが、印刷設定としては、例えば、予め定められたデフォルトの印刷設定（例えば、デフォルトの用紙サイズ、解像度等）が利用される。
【００４３】
また、図５に示した例では、表計算ソフトＢと、プリンタＢのプリンタドライバと、印刷設定「両面」とが対応付けられている。すなわち、表計算ソフトＢにおいて印刷が行われると、プリンタＢのプリンタドライバを使ってプリンタＢに出力がされ、その際、両面印刷が行われることになる。
【００４４】
また、図５に示した例では、プレゼンテーションソフトＣと、カラープリンタＣと、印刷設定「カラー・集約」とが対応付けられている。すなわち、プレゼンテーションソフトＣにおいて印刷が行われると、カラープリンタＣのプリンタドライバを使ってカラープリンタＣに出力がされ、その際、複数のページが一枚の用紙に集約されてカラー印刷されることになる。
【００４５】
前述したように、図５に示したような関連付け情報５００は、出力設定ファイル３５３として、情報処理装置１１０の補助記憶装置２３０に格納される。なお、出力設定ファイル３５３のファイル形式は、バイナリファイルとしてもよいし、テキストファイル（例えば、ＸＭＬ等の構造化記述言語で記述されたテキストファイル）としてもよい。
【００４６】
出力設定ファイル３５３は、情報処理装置１１０において、情報処理装置１１０上で動作するアプリケーション３１０から当該アプリケーション３１０で作成したデータの出力を行う際に利用される。すなわち、情報処理装置１１０において、アプリケーション３１０で作成されたデータの印刷が行われる際は、出力設定ファイル３５３に保存された関連付け情報が参照され、当該アプリケーション３１０に対応するプリンタドライバを使って、当該アプリケーション３１０に対応する印刷設定に従った印刷が行われる。このような処理を実現するため、例えば、情報処理装置１１０でアプリケーション３１０を起動すると、出力設定ファイル３５３に保存された関連付け情報が参照されて、当該アプリケーション３１０に関連付けられたプリンタドライバ３３０が、管理者によって指定された印刷設定に設定変更されて、当該アプリケーション３１０の初期プリンタドライバとされる。
【００４７】
また、出力設定ファイル３５３は、情報処理装置１１０のネットワーク接続部３４０によって、ネットワーク１７０を介して、他の情報処理装置１２０，１３０，１４０に送信され、当該他の情報処理装置１２０，１３０，１４０において、各情報処理装置１２０，１３０，１４０上で動作するアプリケーションから当該アプリケーションで作成したデータの出力を行う際にも利用される。各情報処理装置１２０，１３０，１４０は、ネットワーク１７０を介して、出力設定ファイル３５３を受信すると、受信した出力設定ファイル３５３を各情報処理装置１２０，１３０，１４０が備える補助記憶装置等に格納する。そして、例えば、各情報処理装置１２０，１３０，１４０で稼動しているＯＳが、Ｗｉｎｄｏｗｓ（登録商標）の場合は、出力設定ファイル３５３に含まれている情報が、ＤＥＶＭＯＤＥ構造体に適宜組み込まれる。そして、各情報処理装置１２０，１３０，１４０上で動作するアプリケーションで作成されたデータの印刷が行われる際は、出力設定ファイル３５３に含まれる関連付け情報が適宜参照されて、当該アプリケーションに対応するプリンタドライバを使って、当該アプリケーションに対応する印刷設定に従った印刷が行われる。例えば、出力設定ファイル３５３の内容が組み込まれたＤＥＶＭＯＤＥ構造体をもとに、各情報処理装置１２０，１３０，１４０のプリンタドライバが、出力先となる出力装置（プリンタ）が解釈できる出力データ（例えば、ページ記述言語で記述されたデータ）を生成する。このとき、出力設定ファイル３５３に含まれる印刷設定に従った出力データが生成される。
【００４８】
次に、出力システム１００において使用される各アプリケーションの印刷設定等を統一するための処理の流れについて説明する。
【００４９】
図６は、出力システム１００において使用される各アプリケーションの印刷設定等を統一するための処理の実施形態を示すフローチャートである。
【００５０】
図６に示した処理は、ステップＳ６０１から開始し、ステップＳ６０２では、情報処理装置１１０の出力設定管理部３５０が起動される。例えば、管理者が、予め情報処理装置１１０にインストールされている出力設定管理プログラムを起動することで、出力設定管理部３５０が起動される。
【００５１】
次に、ステップＳ６０３では、出力設定管理部３５０の検索部３５１によって、情報処理装置１１０にインストールされているアプリケーション３１０及びプリンタドライバ３３０の検索が行われ、情報処理装置１１０にインストールされているアプリケーション３１０及びプリンタドライバ３３０の一覧が作成される。
【００５２】
次に、ステップＳ６０４では、出力設定管理部３５０の関連付け部３５２によって、情報処理装置１１０にインストールされているアプリケーション３１０及びプリンタドライバ３３０の一覧が、情報処理装置１１０の表示装置２６０に表示される。すなわち、図４に示すようなＵＩ画面が表示される。
【００５３】
次に、ステップＳ６０５では、管理者が、情報処理装置１１０の表示装置２６０に表示されたＵＩ画面を介して、アプリケーション３１０とプリンタドライバ３３０との関連付けを行い、更に、各アプリケーション３１０に適用される印刷設定を指定して、各アプリケーション３１０（及びプリンタドライバ３３０）に関連付ける。当該関連付け情報は、出力設定ファイル３５３として保存される。
【００５４】
次に、ステップＳ６０６では、情報処理装置１１０のネットワーク接続部３４０によって、管理者が設定した関連付け情報を含む出力設定ファイル３５３が、一般の利用者が利用する情報処理装置１２０，１３０，１４０に対して配信される。各情報処理装置１２０，１３０，１４０に配信された出力設定ファイル３５３は、例えば、プリンタドライバが格納されているフォルダ等に格納されて、各情報処理装置１２０，１３０，１４０上で動作するアプリケーションで作成されたデータの印刷が行われる際に、適宜参照されて、各アプリケーションに対応するプリンタドライバ及び印刷設定による印刷が行われる。つまり、一般の利用者が利用する情報処理装置１２０，１３０，１４０では、一般の利用者が自分でプリンタドライバを切り替えたり、その印刷設定を変更したりしなくても、各アプリケーション毎に管理者が定めたプリンタドライバ及び印刷設定による出力を行うことが可能となる。勿論、管理者が利用する情報処理装置１１０でも同様の効果が得られる。
【００５５】
以上のようにして、図６に示した処理がステップＳ６０７で終了すると、出力システム１００における各アプリケーションからの印刷は、管理者が定めた印刷設定等に従ったものに統一されることになる。
【００５６】
なお、出力システム１００において、出力設定ファイル３５３作成後に、新規にアプリケーションを導入する場合は、情報処理装置１１０の出力設定管理部３５０において再度割り当てを行って出力設定ファイル３５３を作成（更新）し、再度、他の情報処理装置１２０，１３０，１４０に配信する。当該出力設定ファイル３５３を受信した各情報処理装置１２０，１３０，１４０は、補助記憶装置等に格納されている出力設定ファイル３５３を更新して、新たに通知された出力設定ファイル３５３に従った出力を行う。
【００５７】
これまでは、出力デバイスドライバしてプリンタドライバを想定した説明を行ったが、上述した実施形態は、他の出力デバイスドライバについても同様に適用することができる。例えば、出力デバイスドライバがＰＣ−ＦＡＸドライバのときは、出力設定ファイルには、出力設定として送信先情報（送信相手名、送信先ＦＡＸ番号）や通信プロトコルの設定等が登録される。
【００５８】
以上説明したように、上述した実施形態によれば、各アプリケーションに、出力デバイスドライバやその出力設定を予め関連付けることができるので、各アプリケーションから出力を行う際に利用者が出力デバイスドライバを切り替えたり出力設定を変更したりしなくても、各アプリケーション毎に予め定められた出力デバイスドライバや出力設定で出力することが可能となる。
【００５９】
また、上記関連付けを、管理者権限を持つもの（すなわち、管理者）だけが行えるようにすれば、一般の利用者が利用する情報処理装置では、管理者によって設定されて配信された出力設定ファイルに従った出力が行われるようになるので、企業のオフィス等で、出力装置への出力方法を一元的に管理することが可能となる。
【００６０】
なお、上述した実施形態の各機能は、アセンブリ言語、Ｃ、Ｖｉｓｕａｌ  Ｃ、Ｃ＋＋、Ｖｉｓｕａｌ  Ｃ＋＋、Ｊａｖａ（登録商標）、Ｊａｖａ（登録商標）Ｂｅａｎｓ、Ｊａｖａ（登録商標）Ａｐｐｌｅｔ、Ｊａｖａ（登録商標）Ｓｃｒｉｐｔ、Ｐｅｒｌ、Ｒｕｂｙなど、レガシーブログラミング言語やオブジェクト指向プログラミング言語などで記述された装置実行可能なプログラムにより実現でき、装置可読な記録媒体に格納して頒布することができる。
【００６１】
これまで本発明を図面に示した実施形態をもって説明してきたが、本発明は図面に示した実施の形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【図面の簡単な説明】
【００６２】
【図１】本発明の一実施形態である情報処理装置を備えた出力システムの実施形態を示す図。
【図２】情報処理装置のハードウェア構成例を示す図。
【図３】情報処理装置のソフトウェア構成（機能構成）例を示す図。
【図４】関連付け部によって表示装置に表示されるＵＩ画面の実施形態を示す図。
【図５】関連付け部によって作成される関連付け情報の実施形態を示す図。
【図６】出力システムにおいて使用される各アプリケーションの印刷設定等を統一するための処理の実施形態を示すフローチャート。
【符号の説明】
【００６３】
１００…出力システム、１１０，１２０，１３０，１４０…情報処理装置、１５０，１６０…出力装置、１７０…ネットワーク、２１０…演算処理装置、２２０…主記憶装置、２３０…補助記憶装置、２４０…ドライブ装置、２４１…記録媒体、２５０…ネットワークインタフェース装置、２６０…表示装置、２７０…入力装置、２８０…バス、３１０…アプリケーション、３２０…オペレーティングシステム、３３０…出力デバイスドライバ（プリンタドライバ）、３４０…ネットワーク接続部、３５０…出力設定管理部、３５１…検索部、３５２…関連付け部、３５３…出力設定ファイル
【図１】
2008165291.tif 000003
【図２】
2008165291.tif 000004
【図３】
2008165291.tif 000005
【図４】
2008165291.tif 000006
【図５】
2008165291.tif 000007
【図６】
2008165291.tif 000008